(57)【要約】【課題】  異物避けカバーが取り付けられている位置から原稿台までの距離が長くても筐体後方に落下した原稿の取り出しが容易な画像入出力装置を提供する。【解決手段】  本発明の画像入出力装置は、原稿台に載置される原稿を押さえる原稿カバーと、給紙口の下端から突出するように設けられ印刷媒体を保持する用紙台と、原稿カバーの揺動軸線と給紙口との間から斜め上方に突出するように設けられ用紙台の給紙口近傍の上方を覆う異物避けカバーと、異物避けカバーから延びる原稿落下防止カバーであって、開姿勢にあるときの原稿カバーの押さえ面と同一の平面に交差して延び、原稿カバーを開いたとき原稿が当該原稿落下防止カバーより下方に落下することを防止する原稿落下防止カバーと、を備える。【選択図】    図１
2006013771.tif 000002
【特許請求の範囲】
【請求項１】
原稿を載置するための原稿台を有する筐体と、
前記筐体に揺動可能に連結され、前記原稿台に載置される原稿を押さえる原稿カバーと、
前記原稿台に載置された原稿を読み取ってディジタル画像を出力する画像読み取り手段と、
印刷媒体に画像を印刷する印刷手段と、
前記原稿カバーの揺動軸線の下方で前記筐体に設けられる給紙口であって前記印刷手段に印刷媒体を供給するための給紙口と、
前記給紙口の下端から突出するように設けられ、前記印刷媒体を保持する用紙台と、
前記原稿カバーの揺動軸線と前記給紙口との間から斜め上方に突出するように設けられ、前記用紙台の前記給紙口近傍の上方を覆う異物避けカバーと、
前記異物避けカバーから延びる原稿落下防止カバーであって、開姿勢にあるときの前記原稿カバーの押さえ面と同一の平面に交差して延び、前記原稿カバーを開いたとき前記原稿が当該原稿落下防止カバーより下方に落下することを防止する原稿落下防止カバーと、
を備えることを特徴とする画像入出力装置。
【請求項２】
前記原稿落下防止カバーは、略板状に形成されていることを特徴とする請求項１に記載の画像入出力装置。
【請求項３】
前記異物避けカバーは、前記筐体に揺動可能に連結されていることを特徴とする請求項１又は２に記載の画像入出力装置。
【請求項４】
前記原稿落下防止カバーは、前記異物避けカバーに揺動可能に連結されていることを特徴とする請求項１、２又は３に記載の画像入出力装置。
【請求項５】
前記原稿落下防止カバーは、先端部が前記筐体の上面に当接して支持されることを特徴とする請求項４に記載の画像入出力装置。
【発明の詳細な説明】
【技術分野】
【０００１】
本発明は、画像入出力装置に関する。
【背景技術】
【０００２】
画像の読み取りと画像の印刷とが可能な画像入出力装置として、画像読み取り手段としてのイメージスキャナと印刷手段としてのプリンタとを一体化した所謂複合機が知られている。こうした複合機の中には、給紙口が原稿カバーの揺動軸線の下方に形成されているものが知られている。このような複合機の場合、異物避けカバーを設けると、異物が給紙口から筐体内に入り込んで故障の原因となることを防止できる（例えば特許文献１参照）。
【特許文献１】特開２００４−１０４３８９号公報
【発明の開示】
【発明が解決しようとする課題】
【０００３】
ところで、原稿を読み取った後に原稿カバーを開くと、原稿が原稿カバーに吸着して持ち上がり、その後、重力により原稿カバーの押さえ面に沿って下方にスライドし、筐体の後方に落下してしまうことがある。筐体の後方に落下してしまった原稿は取り出し難く、特にサイズの小さい原稿の場合は原稿全体が完全に筐体後方に隠れてしまうので取り出し難い。
【０００４】
特許文献１に記載の複合機のように異物避けカバーを備えている場合、原稿は異物避けカバーで受け止められ異物避けカバーより下方には落下しない。しかしながら、異物避けカバーの取り付け位置が設置面に近いと原稿の落下方向先端は設置面近傍まで落下してしまい、異物避けカバーがあっても原稿の取り出し難さはさして改善されない。異物避けカバーの取り付け位置を高くできればよいが、設計上の制約によりそれができない場合もある。
【０００５】
本発明は上記問題を解決するために創作されたものであって、異物避けカバーが取り付けられている位置から原稿台までの距離が長くても筐体後方に落下した原稿の取り出しが容易な画像入出力装置を提供することにある。
【課題を解決するための手段】
【０００６】
上記目的を達成するため、本発明に係る画像入出力装置は、原稿を載置するための原稿台を有する筐体と、前記筐体に揺動可能に連結され、前記原稿台に載置される原稿を押さえる原稿カバーと、前記原稿台に載置された原稿を読み取ってディジタル画像を出力する画像読み取り手段と、印刷媒体に画像を印刷する印刷手段と、前記原稿カバーの揺動軸線の下方で前記筐体に設けられる給紙口であって前記印刷手段に印刷媒体を供給するための給紙口と、前記給紙口の下端から突出するように設けられ、前記印刷媒体を保持する用紙台と、前記原稿カバーの揺動軸線と前記給紙口との間から斜め上方に突出するように設けられ、前記用紙台の前記給紙口近傍の上方を覆う異物避けカバーと、前記異物避けカバーから延びる原稿落下防止カバーであって、開姿勢にあるときの前記原稿カバーの押さえ面と同一の平面に交差して延び、前記原稿カバーを開いたとき前記原稿が当該原稿落下防止カバーより下方に落下することを防止する原稿落下防止カバーと、を備える。原稿落下防止カバーは異物避けカバーから開姿勢にあるときの原稿カバーの押さえ面と同一の平面に交差して延びるため、原稿カバーを開姿勢にしたとき持ち上げられて押さえ面に沿って下方にスライドした原稿は、原稿落下防止カバーに受け止められる。これにより原稿が原稿落下防止カバーより下方に落下することを防止できる。従って、異物避けカバーが取り付けられている位置から原稿台までの距離が長くても、その距離に比べて原稿が原稿台より下方に落下する距離は短く、原稿が落下しても取り出しが容易である。よってこの画像入出力装置によると、異物避けカバーが取り付けられている位置から原稿台までの距離が長くても筐体後方に落下した原稿の取り出しが容易である。
【０００７】
さらに本発明に係る画像入出力装置では、前記原稿落下防止カバーは、略板状に形成されている。この画像入出力装置によると、小さなサイズの原稿についても原稿落下防止カバーより下方に落下することを防止できる。
さらに本発明に係る画像入出力装置では、前記異物避けカバーは、前記筐体に揺動可能に連結されている。この画像入出力装置によると、異物避けカバーを反用紙台側に揺動することにより用紙台の上方が広く開放され、用紙台に印刷媒体を載置する作業が容易になる。
【０００８】
さらに本発明に係る画像入出力装置では、前記原稿落下防止カバーは、前記異物避けカバーに揺動可能に連結されている。このため、異物避けカバーを反用紙台側に揺動すると原稿落下防止カバーが筐体に当接して揺動され、異物避けカバーの反用紙台側への揺動が原稿落下防止カバーによって阻止されることを防止できる。従って、筐体に原稿落下防止カバーが移動するための空間を確保することなく異物避けカバーを揺動できる。
【０００９】
さらに本発明に係る画像入出力装置では、前記原稿落下防止カバーは、先端部が前記筐体の上面に当接して支持される。
【発明を実施するための最良の形態】
【００１０】
以下、本発明を実施するための最良の形態を実施例に基づいて説明する。
図１〜図４は、本発明の一実施例に係る画像入出力装置としての複合機１の斜視図である。図１に示すように複合機１の筐体はスキャナ部２３（図５参照）を収容するスキャナユニット１１とプリンタ部１８（図５参照）を収容するプリンタユニット１２とで構成されており、スキャナユニット１１はプリンタユニット１２にヒンジにより揺動可能に連結されている。
【００１１】
原稿カバー１３は、ヒンジにより原稿台１４の盤面を開放する姿勢から原稿台１４の盤面を覆う姿勢に揺動可能にスキャナユニット１１に連結されている。原稿カバー１３は概ね原稿台１４と同形状の原稿マット１５を有しており、原稿台１４の盤面に載置される原稿を原稿マット１５によって押さえるとともに、光源３３（図６参照）の放射光以外の光が原稿を照らすことがないよう原稿台１４を覆うものである。原稿カバー１３は図示するように揺動軸線８０側の縁の両端から揺動軸線８０側に突出する腕部１６を備えており、腕部１６の先端がヒンジでスキャナユニット１１に連結されている。このため、原稿カバー１３を開いたとき原稿は２つの腕部１６の間を通り抜けて筐体後方へ落下する可能性がある。腕部１６を設けない場合であっても、原稿カバー１３を開いたときに原稿カバー１３とスキャナユニット１１との間に原稿が通り抜けることのできる隙間が生じる場合は原稿が筐体後方に落下する可能性がある。
【００１２】
図５は、複合機１の模式図である。なお、図５では理解を容易にするため腕部１６を省略して示している。
給紙口１７は、原稿カバー１３の揺動軸線８０（図１参照）の下方でプリンタユニット１２の側壁に設けられている開口である。プリンタ部１８が画像を印刷する印刷媒体は給紙口１７から供給される。
用紙台１９は、給紙口１７を形成する開口部の下端から斜め上方に突出して設けられている。用紙台１９は給紙口１７から供給する紙等の印刷媒体を傾斜させて保持し、保持されている印刷用紙は図示しない給紙機構によって一枚づつプリンタ部１８に搬送される。
【００１３】
異物避けカバー２０は、略板状に形成されており、原稿カバー１３の揺動軸線８０（図１参照）と給紙口１７との間でプリンタユニット１２に揺動可能に設けられている。異物避けカバー２０は図示するように斜め上方に突出する姿勢になったときプリンタユニット１２に設けられている図示しない当接部に当接してそれ以上の用紙台１９側への揺動が規制される。図示するように異物避けカバー２０が斜め上方に突出する姿勢になったとき、用紙台１９の給紙口１７近傍の上方は異物避けカバー２０によって覆われる。ここで用紙台１９の給紙口１７近傍とは、用紙台１９において原稿カバー１３から異物が落下してくる範囲に相当する。用紙台１９に印刷媒体を載置するとき、異物避けカバー２０を図示する姿勢から反用紙台１９側に揺動すると用紙台１９の上方が広く開放されるため、ユーザは用紙台１９に印刷媒体を載置する作業が容易である。なお、本実施例では異物避けカバー２０をプリンタユニット１２に揺動可能に連結しているが、揺動不能に設けてもよい。また、異物避けカバー２０は必ずしもプリンタユニット１２に設ける必要はなく、スキャナユニット１１に設けてもよい。
【００１４】
異物受け溝２１は、異物避けカバー２０の揺動軸線と給紙口１７との間に異物避けカバー２０の揺動軸線に沿ってプリンタユニット１２に溝状に設けられている。異物避けカバー２０の上面に落ちてきた異物は異物避けカバー２０に案内されて異物受け溝２１で受けられる。
原稿落下防止カバー２２は、概ね長方形の板状に形成されている。原稿落下防止カバー２２には紙面に垂直な方向の両端部から突出する円柱状の軸部が一体形成されている。異物避けカバー２０の図５において上を向く面側には図示しない軸受け部が設けられており、原稿落下防止カバー２２は軸部が異物避けカバー２０の軸受け部に軸支されることで異物避けカバー２０に揺動可能に連結されている。なお、本実施例では原稿落下防止カバー２２を異物避けカバー２０に揺動可能に連結しているが、揺動不能に連結してもよい。原稿落下防止カバー２２は、軸部が異物避けカバー２０に軸支され、先端部２２ａがスキャナユニット１１に当接して支持されることによって図示する姿勢で係止される。この姿勢は、異物避けカバー２０の反用紙台１９側の面２０ａから、開姿勢にあるときの原稿カバー１３の押さえ面と同一の平面７５に交差して延びる姿勢である。原稿カバー１３の押さえ面とは、本実施例では原稿マット１５の面１５ａに相当する。原稿落下防止カバー２２の先端部２２ａをスキャナユニット１１に当接させると、原稿落下防止カバー２２を前述した姿勢で係止するための構造を簡素にできる。なお、原稿落下防止カバー２２をスキャナユニット１１に当接させず、先端部２２ａがスキャナユニット１１から浮いている状態であってもよい。
【００１５】
図６は複合機１の構成を示す模式図であり、図７は複合機１を示すブロック図である。
画像読み取り手段としてのスキャナ部２３は、リニアイメージセンサ３０、光学系３２、第一主走査駆動部３６（図７参照）、第一副走査駆動部３７（図７参照）、ＡＦＥ（Analog Front End）部４１（図７参照）及びディジタル画像処理部４２（図７参照）などを備え、スキャナユニット１１に収容されている。
【００１６】
光学系３２は、光源３３、ミラー３４、レンズ３５などで構成されている。光源３３、ミラー３４及びレンズ３５はキャリッジ３１に搭載されている。光源３３は蛍光管ランプ等の管照明装置から構成されており、ミラー３４及びレンズ３５は光源３３に照射された原稿の走査線上の反射光像をリニアイメージセンサ３０に結像させる。尚、光源３３の位置を変えて原稿の透過光像をリニアイメージセンサ３０に結像させるようにしてもよい。
【００１７】
リニアイメージセンサ３０は、ＲＧＢ各色の受光素子が図６において紙面垂直方向に直線状に並ぶ姿勢でキャリッジ３１に搭載されている。リニアイメージセンサ３０は、光学系３２により結像される走査線上の光学像を走査し、その光学像の濃淡に相関する電気信号を出力する。
第一主走査駆動部３６（図７参照）は、リニアイメージセンサ３０を駆動するために必要な駆動パルスをリニアイメージセンサ３０に出力する駆動回路である。第一主走査駆動部３６は、例えば同期信号発生器、駆動用タイミングジェネレータ等から構成される。
【００１８】
第一副走査駆動部３７（図７参照）は、走査線の長手方向軸に垂直に架設されキャリッジ３１を摺動可能に保持する摺動軸３８、キャリッジモータ３９、駆動ベルト４０、駆動回路などを備えている。キャリッジモータ３９がキャリッジ３１を駆動ベルト４０で牽引することでリニアイメージセンサ３０と原稿Ｍとが走査線に垂直な方向Ｗ（副走査方向）に相対移動するため、二次元画像の走査が可能となる。
【００１９】
ＡＦＥ部４１（図７参照）は、アナログ信号処理部、Ａ／Ｄ変換器等から構成される。アナログ信号処理部はリニアイメージセンサ３０から出力された電気信号に対して増幅、雑音低減処理等のアナログ信号処理を施して出力する。Ａ／Ｄ変換器はアナログ信号処理部から出力された電気信号を所定ビット長のディジタル表現の出力信号に量子化して出力する。
【００２０】
ディジタル画像処理部４２（図７参照）は、ＡＦＥ部４１から出力された出力信号に対し、ガンマ補正、画素補間法による欠陥画素の補間、シェーディング補正、画像信号の鮮鋭化等の処理を行ってディジタル画像を作成する。尚、ディジタル画像処理部４２で施す上記各種の処理は、制御部５６で実行するコンピュータプログラムによる処理に置き換えてもよい。
【００２１】
印刷手段としてのプリンタ部１８は、記録ヘッド４３、ヘッド駆動部４８（図７参照）、第二主走査駆動部４９（図７参照）及び第二副走査駆動部５４（図７参照）などを備え、プリンタユニット１２に収容されている。尚、本実施例ではインクジェット方式により印刷を行う場合を例に説明するが、レーザー方式やドットインパクト方式などで印刷を行うものであってもよい。
【００２２】
記録ヘッド４３はキャリッジ４４に設けられ、インクを吐出するノズル４５、ピエゾ素子４６、インク通路４７、図示しないインクカートリッジなどを備える。ピエゾ素子４６はインクを導くインク通路４７の側壁に接する位置に設けられ、駆動電圧が印加されると急速に伸長してインク通路４７の側壁を変形させる。インク通路４７の体積はピエゾ素子４６の伸張に応じて収縮し、その収縮分に相当するインクがノズル４５から高速に吐出される。これにより記録ヘッド４３は印刷媒体に画像を印刷する。
【００２３】
ヘッド駆動部４８（図７参照）は、制御部５６から出力された印刷信号に基づいて駆動電圧をピエゾ素子４６に印加する回路である。
第二主走査駆動部４９（図７参照）は、プラテン５０の軸と平行に架設されキャリッジ４４を摺動可能に保持する摺動軸５１、キャリッジモータ５２、駆動ベルト５３、駆動回路などを備える。キャリッジモータ５２がキャリッジ４４を駆動ベルト５３で牽引することで記録ヘッド４３が摺動軸５１（主走査方向軸）の軸方向（主走査方向Ｘ）に往復移動する。
【００２４】
第二副走査駆動部５４（図７参照）は、紙送りモータ５５、紙送りモータ５５の回転をプラテン５０と図示しない用紙搬送ローラとに伝達する歯車列、駆動回路などを備える。紙送りモータ５５がプラテン５０と図示しない用紙搬送ローラとを回転させることで、主走査方向軸に交差する図６において紙面に垂直な方向（副走査方向）に印刷用紙が移動する。
【００２５】
図７に示す制御部５６は、ＣＰＵ５７、ＲＯＭ５８及びＲＡＭ５９を備えている。ＣＰＵ５７はＲＯＭ５８に記憶されたコンピュータプログラムを実行して複合機１の各部を制御する。ＲＯＭ５８はＣＰＵ５７に各部を制御する処理を実行させるプログラム、各種のデータなどを記憶しているメモリであり、ＲＡＭ５９はプログラム、各種のデータなどを一時的に記憶するメモリである。制御部５６はスキャナ部２３としてもプリンタ部１８としても機能する。
【００２６】
次に、異物が給紙口１７から筐体内に入り込むことを防止する作動について、図５に基づいて説明する。
例えばユーザがスキャナ部２３に原稿を読み取らせるとき、原稿台１４に原稿を載置した後で、原稿を挟んで止めていたクリップ７０を原稿カバー１３の上に置いたとする。原稿を読み取らせた後に原稿カバー１３上にクリップ７０を置いたままであるにもかかわらず不注意により原稿カバー１３をそのまま開けてしまったとすると、クリップ７０は原稿カバー１３から滑り落ちる。クリップ７０が原稿落下防止カバー２２の上に落下せず異物避けカバー２０の上に落ちたとすると、異物避けカバー２０は斜め上方に突出する姿勢で係止されているため、クリップ７０は異物避けカバー２０の上を滑り落ちて異物受け溝２１で受けられる。これにより異物が給紙口１７から筐体内に入り込むことが防止される。
【００２７】
前述したように本実施例の異物避けカバー２０はスキャナユニット１１ではなくプリンタユニット１２に連結されている。このためスキャナユニット１１に連結する場合に比べて連結位置が設置面に近い。このため仮に原稿落下防止カバー２２がなかったとすると、原稿の落下方向先端は設置面に近いところまで落下してしまうことになる。すなわち、異物避けカバー２０をスキャナユニット１１ではなくプリンタユニット１２に取り付けると、異物避けカバー２０が取り付けられている位置から原稿台１４までの距離が長くなり、従って原稿落下防止カバー２２がなかったとすると原稿が原稿台１４より下方に落下する距離が長くなる。落下した距離が長いほど原稿の取り出しが面倒なため、落下する距離が長いとユーザにとって操作性が悪い。異物避けカバー２０をスキャナユニット１１に取り付ける場合であっても、スキャナユニット１１の高さ方向の幅が広い場合、設置面に近い高さに異物避けカバー２０を取り付けると原稿台１４までの距離が長くなるため同様である。
【００２８】
次に、原稿落下防止カバー２２が原稿の落下を防止する作動について説明する。
図８（Ａ）、図８（Ｂ）、図９（Ｃ）、及び図９（Ｄ）は、原稿の落下を防止する作動を説明するための模式図である。なお、これらの図では理解を容易にするため原稿カバー１３については原稿マット１５だけを示している。
【００２９】
図８（Ａ）は、原稿カバー１３を閉じた状態を示している。この状態は図２〜図４に示す状態と同じである。
図８（Ｂ）は、原稿台１４を開放する姿勢にあるときの原稿カバー１３、すなわち開いた状態の原稿カバー１３を示している。原稿カバー１３を開くと原稿Ｍが原稿カバー１３に吸着して持ち上がり、その後、重力により、原稿カバー１３の押さえ面１５ａに沿ってスライドするように筐体の後方に向かって斜めに落下する。図中の矢印は落下する方向を示している。原稿カバー１３を開くと、結果として原稿落下防止カバー２２は図示するように異物避けカバー２０に軸支されている位置から原稿マット１５の面１５ａと同一の面に向かって延び、同一の面に交差して更に延びる姿勢となる。すなわち、原稿カバー１３の押さえ面と同一の平面に交差する姿勢となる。
【００３０】
図９（Ｃ）は、落下した原稿Ｍが原稿落下防止カバー２２に当接した状態を示している。原稿落下防止カバー２２は原稿カバー１３の押さえ面と同一の面に交差する姿勢で係止されているため、押さえ面に沿ってスライドする原稿Ｍは原稿落下防止カバー２２に当接することになる。
図９（Ｄ）は、落下が止まって原稿Ｍの移動が異物避けカバー２０によって止められた状態を示している。原稿Ｍは原稿落下防止カバー２２に当接すると原稿落下防止カバー２２の面に沿って方向を変え、異物避けカバー２０に向かって原稿落下防止カバー２２上を滑り落ちる。落ちた先には異物避けカバー２０があるため、原稿Ｍは異物避けカバー２０に当接して停止する。
【００３１】
なお、本実施例では原稿落下防止カバー２２を略板状に形成したが、原稿落下防止カバー２２は原稿が下方に落下しなければ任意の形状であってよく、例えば揺動軸線８０方向に間隔をおいて設けた複数の棒状の部材であってもよい。この場合、揺動軸方向の幅が当該間隔より広い原稿について落下を防止できる。ただしこの場合は揺動軸方向の幅が当該間隔より狭い原稿は落下してしまう。従って、原稿落下防止カバー２２は略板状であることが望ましい。
【００３２】
次に、異物避けカバー２０を反用紙台１９側に揺動したときの原稿落下防止カバー２２の作動について説明する。
図１０は、異物避けカバー２０を揺動したときの原稿落下防止カバー２２の作動を説明するための模式図である。原稿落下防止カバー２２は異物避けカバー２０に揺動可能に連結されているため、異物避けカバー２０を反用紙台１９側に揺動したとき筐体が原稿落下防止カバー２２に当接して原稿落下防止カバー２２を揺動する。このため、原稿落下防止カバー２２に邪魔されることなく異物避けカバー２０を反用紙台１９側に揺動できる。従って、原稿落下防止カバー２２が移動するための空間を筐体に確保することなく異物避けカバー２０を揺動できる。
【００３３】
また、スキャナユニット１１はプリンタユニット１２に揺動可能に連結されているため、原稿落下防止カバー２２を異物避けカバー２０に揺動可能に連結すると、スキャナユニット１１を揺動したとき原稿落下防止カバー２２も揺動する。従って原稿落下防止カバー２２を備えてもスキャナユニット１１を揺動できる。
【００３４】
以上説明した本発明の一実施例に係る複合機１によると、原稿落下防止カバー２２は開姿勢にあるときの原稿マット１５の面１５ａと同一の平面に交差して延びるため、原稿カバー１３を開姿勢にしたとき持ち上げられて面１５ａに沿って下方にスライドした原稿は、原稿落下防止カバー２２に受け止められる。これにより原稿が原稿落下防止カバー２２より下方に落下することを防止できる。従って、異物避けカバー２０が取り付けられている位置から原稿台１４までの距離が長くても、その距離に比べて原稿が原稿台１４より下方に落下する距離は短く、原稿が落下しても取り出しが容易である。よって複合機１によると、異物避けカバー２０が取り付けられている位置から原稿台１４までの距離が長くても、筐体後方に落下した原稿の取り出しが容易である。
【図面の簡単な説明】
【００３５】
【図１】本発明の一実施例に係る画像入出力装置の斜視図。
【図２】本発明の一実施例に係る画像入出力装置の斜視図。
【図３】本発明の一実施例に係る画像入出力装置の斜視図。
【図４】本発明の一実施例に係る画像入出力装置の斜視図。
【図５】本発明の一実施例に係る画像入出力装置の模式図。
【図６】本発明の一実施例に係る画像入出力装置の模式図。
【図７】本発明の一実施例に係る画像入出力装置のブロック図。
【図８】本発明の一実施例に係る画像入出力装置の模式図。
【図９】本発明の一実施例に係る画像入出力装置の模式図。
【図１０】本発明の一実施例に係る画像入出力装置の模式図。
【符号の説明】
【００３６】
１  複合機（画像入出力装置）、１１  スキャナユニット（筐体）、１２  プリンタユニット（筐体）、１３  原稿カバー、１４  原稿台、１７  給紙口、１８  プリンタ部（印刷手段）、１９  用紙台、２０  異物避けカバー、２２  原稿落下防止カバー、２３  スキャナ部（画像読み取り手段）、５６  制御部、７０  クリップ
【図１】
2006013771.tif 000003
【図２】
2006013771.tif 000004
【図３】
2006013771.tif 000005
【図４】
2006013771.tif 000006
【図５】
2006013771.tif 000007
【図６】
2006013771.tif 000008
【図７】
2006013771.tif 000009
【図８】
2006013771.tif 000010
【図９】
2006013771.tif 000011
【図１０】
2006013771.tif 000012